(57)【要約】      （修正有）【課題】足への負担が少なく、ペダルが踏み易く、構成が単純な足踏み式手指消毒装置を提供する。【解決手段】テーブル部本体２０と、テーブル部本体２０の床面側に設けられる足踏み式のペダル２６と、ペダル２６の踏込みと解放によって上下にスライド可能な連結部材２７と、スプレー式噴霧器１０の消毒液容器を設置するための容器設置台３１と、テーブル部本体２０の容器設置台上方に設けられる押下部材２８と、テーブル部本体２０の容器設置台背面側に設けられると共に、ペダル２６のテーブル部本体２０背面側の部位に連結された復元力用ゴム２９とを備える。押下部材２８は、ペダル２６の足踏みと連動して、容器設置台３１に設置されたスプレー式噴霧器１０の押しヘッドを押し込む。【選択図】図１
0003228830.tif 000002
【実用新案登録請求の範囲】
【請求項１】
ペダルを踏込みすることによってスプレー式噴霧器を加圧して、スプレー式噴霧器内の液体を噴霧可能な足踏み式手指消毒装置であって、
テーブル部本体と、
前記テーブル部本体の床面側に設けられる足踏み式のペダルと、
前記ペダルの踏込みと解放によって上下にスライド可能な連結部材と、
前記スプレー式噴霧器の容器を設置するための容器設置台と、
前記テーブル部本体の容器設置台上方に設けられる押下部材と、
前記テーブル部本体の容器設置台背面側に設けられる復元力用ゴムであって、前記ペダルの前記テーブル部本体背面側の部位に連結された前記復元力用ゴムと、
を備え、前記押下部材は、前記ペダルの足踏みと連動して、前記容器設置台に設置された前記スプレー式噴霧器の押しヘッドを押し込むと共に、前記ペダルを足踏みから解放すると、前記押下部材は前記押しヘッドの押し込みを解除するように構成してある、
ことを特徴する足踏み式手指消毒装置。
【請求項２】
前記容器設置台は昇降機構部を有し、
前記昇降機構部によって、前記スプレー式噴霧器の押しヘッドと前記押下部材の高さ方向の位置合わせをできるように構成したことを特徴する請求項１に記載の足踏み式手指消毒装置。
【請求項３】
前記容器設置台は、高さ寸法が５００ｍｍ〜９００ｍｍであることを特徴する請求項１又は２に記載の足踏み式手指消毒装置。
【請求項４】
前記スプレー式噴霧器の噴霧器に常時負荷される前記押下部材及び前記連結部材の重量Ｇを、前記スプレー式噴霧器の復元スプリングの弾発付勢力Ｆよりも小さく設定することを特徴する請求項１乃至３の何れか１項に記載の足踏み式手指消毒装置。
【考案の詳細な説明】
【技術分野】
【０００１】
本考案は、スプレー式噴霧器を用いた手指消毒液を噴霧する手指消毒装置に関し、特に足踏み式で操作できるようにした足踏み式手指消毒装置に関する。
【背景技術】
【０００２】
現在、新型コロナウイルス感染症（ＣＯＶＩＤ−１９）の感染防止が、日本国内や欧米諸国・ブラジル・アフリカ諸国において大きな社会問題となっている。日本国内では、その予防策の一つとして、手指を消毒するためのアルコール消毒液を噴霧するスプレー式噴霧器が用いられている。また、アルコール消毒液のスプレー式噴霧器は、インフルエンザの感染防止にも用いられている。
スプレー式噴霧器は、樹脂製ボトル内の消毒液を手動操作で噴霧する手動式のものが広く流通しており、会社、学校、病院、図書館、公民館等、不特定多数の人が利用する施設の入り口や洗面所等に設置されて、施設利用者が自由に使用できるようになっている。
【０００３】
しかし、手動式の場合、手に荷物を持っていると手動操作しにくいとか、片方の手でスプレー式噴霧器を操作するため消毒液を両手に同時に噴霧しにくいといった難点がある。
これら難点を解消すべく、ペダルを足で踏むとスプレー式噴霧器の押しボタン（ヘッド）が押されて、消毒液が噴霧されるようにした足踏み式手指消毒装置が開発されている（特許文献１〜３参照）。
【先行技術文献】
【特許文献】
【０００４】
【特許文献１】実用新案登録第３１５７０７４号公報
【特許文献２】特開２０１１−１１０５４４号公報
【特許文献３】特開２０１５−１００４５４号公報
【考案の概要】
【考案が解決しようとする課題】
【０００５】
特許文献１に開示された足踏み式手指消毒装置は、ペダルを踏むとスプレー式噴霧器の押しボタンが押されてスプレー式噴霧器内の消毒液が噴霧される。しかし、押しボタンを押す力がそのまま足にかかるため足への負担が大きいという難点があった。特に、押しボタンの降下速度よりも速くペダルを踏むと、足にかかる負担が大きくなるという課題があった。
特許文献２に開示された足踏み式手指消毒装置は、特許文献１に開示された足踏み式手指消毒装置の課題を解決したものである。しかし、シャフトの一部に撓み部が設けられ、撓み部はペダルを足踏みすることによりシャフトが無理に引き下げられると撓むようにした構成としたので、構成が複雑になるという課題を生ずる。
【０００６】
また、特許文献１に開示された足踏み式手指消毒装置では、消毒液を噴霧する毎に、消毒液ボトルの頭頂部に配置するノズルが下降するため、ノズルから噴霧する消毒液を受け取りにくいという課題がある。そこで、特許文献３に開示された足踏み式手指消毒装置では、ペダルを足踏みする消毒液ボトルが上昇する構成として、ノズルが静止した状態でも消毒液を噴霧できる構成としている。しかし、消毒液ボトルが大型化した場合、消毒液ボトルを押し上げるためのペダルを足踏みする力が必要になるという課題がある。
本考案は、上記の従来装置の課題を解決したもので、足への負担が少なく、ペダルが踏み易く、構成が単純な足踏み式手指消毒装置を提供することにある。
【課題を解決するための手段】
【０００７】
本考案の足踏み式手指消毒装置は、例えば図１〜図２に示すように、ペダルを踏込みすることによってスプレー式噴霧器１０を加圧して、スプレー式噴霧器内の液体を噴霧可能な足踏み式手指消毒装置であって、テーブル部本体２０と、テーブル部本体２０の床面側に設けられる足踏み式のペダル２６と、ペダル２６の踏込みと解放によって上下にスライド可能な連結部材２７と、スプレー式噴霧器１０の消毒液容器１２を設置するための容器設置台３１と、テーブル部本体２０の容器設置台上方に設けられる押下部材２８と、テーブル部本体２０の容器設置台背面側に設けられる復元力用ゴム２９であって、ペダル２６のテーブル部本体２０背面側の部位に連結された復元力用ゴム２９と、を備え、押下部材２８は、ペダル２６の足踏みと連動して、容器設置台３１に設置されたスプレー式噴霧器１０の押しヘッド１５を押し込むと共に、ペダル２６を足踏みから解放すると、押下部材２８は前記押しヘッドの押し込みを解除するように構成してある。
【０００８】
本考案の足踏み式手指消毒装置において、好ましくは、容器設置台３１は昇降機構部３２を有し、昇降機構部３２によって、前記スプレー式噴霧器の押しヘッドと押下部材２８の高さ方向の位置合わせをできるように構成するとよい。
本考案の足踏み式手指消毒装置において、好ましくは、容器設置台３１は、高さ寸法が５００ｍｍ〜９００ｍｍであるとよい。
【考案の効果】
【０００９】
本考案の足踏み式手指消毒装置は次のような効果がある。
（１）テーブル部本体は、鏡台付の化粧台と類似の形状をしており、これに足踏み式ペダルとスプレー式噴霧器の容器の操作機構を設ければよいので、構造が簡単であると共に、デザイン性も良好にできる。
（２）昇降機構部によって、スプレー式噴霧器の押しヘッドと押下部材の高さ方向の位置合わせをできるように構成すると、様々な形状のスプレー式噴霧器に適合するように、昇降機構部と押下部材の位置合わせの調整ができる。
【図面の簡単な説明】
【００１０】
【図１】本考案の手指消毒装置の一実施形態を示す正面図である。
【図２】本考案の手指消毒装置の一実施形態を示す側面図である。
【図３】本考案の手指消毒装置の一実施形態を示す部品図で、（Ａ）は押下部材、（Ｂ）はテーブル部と容器設置台、（Ｃ）は足踏みペダルを示している。
【図４】スプレー式噴霧器の要部拡大図である。
【図５】本考案の一実施形態の使用状態を示す正面斜視図である。
【考案を実施するための形態】
【００１１】
以下、実施の形態を示す図面に基づき本考案を詳説する。
本考案に係る手指消毒装置は、図１、図２に示すように、消耗品である消毒液を噴霧する手指消毒液ボトル１０と、テーブル部本体２０を有している。本考案に係る手指消毒装置は、学校、病院、公共施設、オフィスビル、レストラン等の入口や、一般家庭の玄関等に設置するのに好適である。
【００１２】
手指消毒液ボトル１０は、例えば図４に示すような、スプレー式噴霧器に相当するもので、市販の消毒液ボトルを用いるとよい。手指消毒液ボトル１０は、消毒液容器１２、噴射ノズル１４、押しヘッド１５、復元スプリング１６、噴霧用チューブ１８、噴霧器キャップ１９を有している。
消毒液容器１２は、消毒用アルコールのような手指消毒液Ａを収容している。消毒液容器１２の形状は、収容する手指消毒液Ａの薬液量に応じて各種の大きさがあり、例えば薬液量として５００ｍＬ、１Ｌ、２Ｌ等が収容される。噴射ノズル１４は、手指消毒液Ａを霧状として吐出するものである。押しヘッド１５は、空気圧により消毒液容器１２内の手指消毒液Ａを押圧できる構造とすると共に、噴射ノズル１４を前方突出状に有する。
復元スプリング１６は、押しヘッド１５を常時上方へ弾発付勢する力を付与する。噴霧用チューブ１８は、消毒液容器１２の底部から噴霧器キャップ１９をへて噴射ノズル１４まで至るもので、消毒液容器１２内の手指消毒液Ａを吸い上げて噴射ノズル１４まで送る。噴霧器キャップ１９は、消毒液容器１２の押しヘッド１５側に設けられたもので、着脱式として消毒液容器１２内に手指消毒液Ａを補給できる構造としている。噴霧器キャップ１９は、噴射ノズル１４、押しヘッド１５、復元スプリング１６、噴霧用チューブ１８と一体構造とすることで、手指消毒液Ａの補給が容易になる。
【００１３】
このように構成された手指消毒液ボトル１０は、感染症の流行がない状態では、押しヘッド１５を手指で操作することで、手指消毒液ボトル１０を単体で使用することができる。
感染症の流行がある状態では、手指消毒液ボトル１０を本考案のテーブル部本体２０と共に使用することで、押しヘッド１５を直接手指で操作することなく使用ができ、感染防止が図られる。
【００１４】
次に、図１〜図３を参照して、本考案のテーブル部本体２０を説明する。
テーブル部本体２０は、正面脚部２１、背面脚部２２、底面フレーム部２３、置台フレーム部２４、天井フレーム部２５、足踏みペダル２６、連結部材２７、押下部材２８、復元力ゴム２９、テーブル部３０、容器設置台３１、設置台昇降機構３２を備えている。
テーブル部本体２０は、上部に手指消毒液ボトル１０を設置するための容器設置台３１を有し、手指消毒液ボトル１０を押下げる昇降自在の押下部材２８と、下方位置に配設した足踏みペダル２６とを連動させる連結部材２７を有している。
【００１５】
テーブル部本体２０は、テーブル部３０の高さ寸法Ｈは、利用者が両手を差し出し易い高さ寸法とし、例えば５００ｍｍ〜９００ｍｍとして、テーブル部３０の上に消毒液容器１２を載置している。テーブル部本体２０は、テーブル部３０を保持する４脚よりなる支持機構と、テーブル部３０の上方から手指消毒液ボトル１０を押下げる機構を保持する上部構造とよりなる。
支持機構は、２脚よりなる正面脚部２１と、２脚よりなる背面脚部２２を有する。正面脚部２１は、下側端面が床面に接触した状態で設置され、上側端面がテーブル部３０を保持する状態で装着される。背面脚部２２は、下側端面が床面に接触した状態で設置され、上側端面が天井フレーム部２５を保持する状態で装着されると共に、テーブル部３０の装着位置で置台フレーム部２４が装着される。
底面フレーム部２３と置台フレーム部２４は、テーブル部３０を堅固に保持すると共にテーブル部本体２０を軽量化するために、設けられたものである。底面フレーム部２３は、正面脚部２１と背面脚部２２の床面に近い側に設けられた水平部材で、足踏みペダル２６を装着するための空間を形成している。置台フレーム部２４は、正面脚部２１と背面脚部２２のテーブル部３０に近い側に設けられた水平部材である。天井フレーム部２５は、背面脚部２２の上端に設けられた水平部材である。
【００１６】
足踏みペダル２６は、図３（Ｃ）に示すように、正面脚部２１の底面前方に張り出した支持端部２６ａが床面に接触し、背面脚部２２側の床面から所定のストローク高さｈの位置に移動端部２６ｂが位置するもので、上面２６ｄには足形画像２６ｅが設けられている。連結部材２７が枢着される枢結部２６ｃが、足形画像２６ｅと移動端部２６ｂの間に設けられている。
連結部材２７は、一端２７ａが足踏みペダル２６の移動端部２６ｂ近傍に枢着され、他端２７ｂが押下部材２８の略中央位置２８ｂに枢着されたもので、例えば鋼やアルミ等の金属、プラスチック部材のような構造材で構成される棒材である。連結部材２７は、足踏みペダル２６の上下動を、押下部材２８の上下動に伝えている。連結部材２７の一端２７ａと他端２７ｂは、足踏みペダル２６の揺動がスムーズに押下部材２８の動きと連動するように、遊嵌状に枢着されたものであるとよい。
【００１７】
押下部材２８は、図３（Ａ）に示すように、天井フレーム部２５に蝶番を用いて回動可能に係止される支持端２８ａと、連結部材２７に枢着される操作入力端２８ｂと、手指消毒液ボトル１０を押下げる操作出力端２８ｃを有する。
復元力ゴム２９は、テーブル部本体２０の背面脚部２２の更に背面側に設けられるもので、一端２９ａが足踏みペダル２６の移動端部２６ｂに固定され、他端２９ｂが天井フレーム部２５に固定されたもので、足踏みペダル２６に復元力を与える。即ち足踏みペダル２６の支持端部２６ａが床面に接触した状態が、復元力ゴム２９の無負荷状態の長さであり、足踏みペダル２６が踏み込まれた状態では復元力ゴム２９が伸張して足踏みペダル２６に復元力を与える。
【００１８】
テーブル部３０は、図３（Ｂ）に示すように、正面脚部２１側に位置する手前部３０ａと、床面側から天井フレーム部２５まで通し部材である背面脚部２２を収容可能とする切欠き部３０ｂと、連結部材２７が貫通する貫通孔３０ｃを有している。
容器設置台３１は、テーブル部３０の上に昇降可能に設けられた台で、手指消毒液ボトル１０を設置する。設置台昇降機構３２は、テーブル部３０を固定部、容器設置台３１を移動部とするもので、容器設置台３１を上下方向に高さ調整して、手指消毒液ボトル１０の高さと押下部材２８との高さ合わせをする。設置台昇降機構３２では、例えば棒材の外周にネジ山を設けて、テーブル部３０に設けたネジ穴と螺合させて、高さ合わせをする。
【００１９】
上述した本考案の手指消毒装置の使用方法（作用）について説明する。
図１〜図３に示すように、足踏みペダル２６の自然状態では支持端部２６ａが床面Ｂに接触しており、押下部材２８も上昇した位置にある。そこで、設置台昇降機構３２により容器設置台３１をテーブル部３０と接触した状態まで押し下げて、押下部材２８と容器設置台３１との隙間を充分にあける。そして、手指消毒液ボトル１０を容器設置台３１の上において、設置台昇降機構３２により容器設置台３１の高さを調整して、押下部材２８が手指消毒液ボトル１０の押しヘッド１５に接触するような状態とする。
このとき、足踏みペダル２６を踏み込み、押下部材２８を介して手指消毒液ボトル１０を押圧して、所望の噴射量が得られることを確認する。実際の噴射量と所望の噴射量との間に乖離があるときは、設置台昇降機構３２により容器設置台３１の高さを調整して、押下部材２８が手指消毒液ボトル１０の押しヘッド１５に適切な圧力で接触するような状態に調整する。
【００２０】
足踏みペダル２６の踏み込みを解除すると、操作出力端２８ｃが上昇して、手指消毒液ボトル１０の押圧が解除される。すると、復元スプリング１６により弾発付勢される押しヘッド１５が上昇して、手指消毒液ボトル１０からの手指消毒液Ａの噴霧が停止する。押下部材２８の操作出力端２８ｃの上昇に伴って、足踏みペダル２６の移動端部２６ｂは、跳ね上がった状態で保持される。これで、手指消毒液ボトル１０の設置は、完了する。
【００２１】
次に、操作者が、両手を噴射ノズル１４の前に差し出しつつ、跳ね上がった足踏みペダル２６を踏み込むと、連結部材２７を介して押下部材２８に下方向きの力が加わり、手指消毒液ボトル１０の押しヘッド１５が押し下げられる。押しヘッド１５は、降下しつつ噴射ノズル１４から手指消毒液Ａを噴射（噴霧）し、操作者の手指を消毒する。操作者の手指に当たらなかった手指消毒液Ａは、消毒用アルコールなので、仮に容器設置台３１から漏れたとしても、すぐに蒸発して周囲に飛び散ることがない。
【００２２】
操作者が、足踏みペダル２６から足を離すと、押下部材２８は、再び上昇する。図４に示すように、押下部材２８は、押下部材２８及び連結部材２７の重量Ｇを、手指消毒液ボトル１０に常時負荷しつつ、復元スプリング１６により弾発付勢される押しヘッド１５の弾発付勢力Ｆをもって持ち上げられる構成としているので、押しヘッド１５と押下部材２８とが離反することなく常に当接して上昇し、噴射ノズル１４が切欠部１２との係合状態を離脱することがない。
【００２３】
テーブル部本体２０に、手指消毒液Ａを収納した手指消毒液ボトル１０を設置しておけば、足踏みペダル２６を踏んで繰り返し使用できる。また、テーブル部本体２０の正面脚部２１と背面脚部２２から定まる外側面には、新型インフルエンザ等の感染症への注意を喚起する文章を表示したり、又は使用方法の説明、美観的デザインを施す等の装飾加工をして設置してもよい。さらに、足踏みペダル２６で手指消毒液Ａの噴霧を操作するので、手指にて手指消毒液ボトル１０の押しヘッド１５に接することがなく、衛生上好ましい。
【００２４】
図４に示すように、手指消毒液ボトル１０は、手指消毒液ボトル１０上部の押しヘッド１５を下方に押し込むことで、内部に収容した手指消毒液Ａを噴射ノズル１４から噴霧するように構成され、一旦、押し込まれて降下した押しヘッド１５を復元スプリング１６の弾発付勢力Ｆをもって押し返し、再び押しヘッド１５が上昇して、繰り返し手指消毒液Ａを吐出するように構成されている。
【００２５】
本考案の変形実施例として、手指消毒液ボトル１０に常時負荷される押下部材２８及び連結部材２７の重量Ｇを、復元スプリング１６の弾発付勢力Ｆよりも小さく設定するとよい。このように構成すると、連結部材２７の中継パイプ３０に引き下げられて降下した押下部材２８は、復元スプリング１６の弾発付勢力Ｆにより持ち上げられて上昇可能である。
【００２６】
以上説明したように、本考案の足踏み式手指消毒装置は、噴射ノズル１４を有する押しヘッド１５を、常時上方へ弾発付勢する復元スプリング１６を内蔵した消毒液容器１２を有する手指消毒液ボトル１０を設置するためのテーブル部本体２０を具備する。テーブル部本体２０の構成は、テーブル部３０の上部に手指消毒液ボトル１０を設置する容器設置台３１を有し、手指消毒液ボトル１０を押下げる昇降自在の押下部材２８と、下方位置の足踏みペダル２６とを連動させる連結部材２７を有する構成としている。好ましくは、容器設置台３１の高さ寸法Ｈを５００ｍｍ〜９００ｍｍ程度として、利用者が立った状態で両手に消毒液の噴霧を受け易いように構成している。
テーブル部本体２０の正面脚部２１と背面脚部２２から定まる外側面に化粧板を設けると、連結部材２７を包囲した状態でテーブル部本体２０内に収納することができ、整った容姿に創作でき、景観を損なうことなく外観上の見栄えが良くなる。
また、電源等に接続することなく、繰り返し手指消毒液Ａを噴霧でき、設置場所を選ばない。さらに、テーブル部本体２０の外側面を装飾して色等を変更でき、デザイン性に優れる。
【００２７】
また、本考案の変形実施例のように、手指消毒液ボトル１０に常時負荷される押下部材２８及び連結部材２７の重量Ｇを、復元スプリング１６の弾発付勢力Ｆよりも小さく設定すると、弾発付勢力Ｆをもって押下部材２８を持ち上げられる。よって、押しヘッド１５と押下部材２８とが離反することなく当接しながら上昇し、噴射ノズル１４が切欠部１２との係合状態を脱することがない。
【産業上の利用可能性】
【００２８】
本考案の足踏み式手指消毒装置は、スプレー式噴霧器を用いた手指消毒液を足踏み式で操作できるように構成したので、特に新型コロナウイルス感染症（ＣＯＶＩＤ−１９）の感染防止のように、手指や皮膚を介した接触感染のような態様への感染防止に好適である。
【符号の説明】
【００２９】
１０  手指消毒液ボトル（スプレー式噴霧器）
１２  消毒液容器
１４  噴射ノズル
１５  押しヘッド
１６  復元スプリング
１８  噴霧用チューブ
１９  噴霧器キャップ
２０  テーブル部本体
２６  足踏みペダル
２７  連結部材
２８  押下部材
２９  復元力ゴム
３０  テーブル部
３１  容器設置台
３２  昇降機構部
Ｈ  テーブル高さ寸法
【図１】
0003228830.tif 000003
【図２】
0003228830.tif 000004
【図３】
0003228830.tif 000005
【図４】
0003228830.tif 000006
【図５】
0003228830.tif 000007
【手続補正書】
【提出日】令和2年8月4日(2020.8.4)
【手続補正１】
【補正対象書類名】図面
【補正対象項目名】図５
【補正方法】変更
【補正の内容】
【図５】
0003228830.tif 000008